(57)【要約】【課題】まつ毛に安全にカール形状を施術できるとともに、その状態を長時間にわたって維持可能な耐久性に優れた滅菌まつ毛カール施術方法を提供する。【解決手段】台座部材が載置された上側のまぶたの上に、上側のまつ毛を粘着テープで台座部材を挟んで上まぶたに押着して固定する固定ステップと、固定ステップにより固定された上側のまつ毛を２０度以上の温度で１分以上加熱する加熱ステップと、加熱ステップにより加熱された上側のまつ毛を加熱ステップにより加熱された温度よりも低い温度で冷却する冷却ステップと、を含む。【選択図】図１
2020006110.tif 000002
【特許請求の範囲】
【請求項１】
台座部材が載置された上側のまぶたの上に、上側のまつ毛を粘着テープで前記台座部材を挟んで上まぶたに押着して固定する固定ステップと、
前記固定ステップにより固定された上側のまつ毛を２０度以上の温度で１分以上加熱する加熱ステップと、
前記加熱ステップにより加熱された上側のまつ毛を前記加熱ステップにより加熱された温度よりも低い温度で冷却する冷却ステップと、
を含むことを特徴とする滅菌まつ毛カール施術方法。
【請求項２】
前記台座部材は、円筒形状の部材または弾性部材の少なくともいずれか１つであること、
を特徴とする請求項１に記載の滅菌まつ毛カール施術方法。
【請求項３】
前記冷却ステップにより冷却された上側のまつ毛にカール状の滅菌作用を有する人口毛を装着する装着ステップ、
をさらに含むことを特徴とする請求項１または２に記載の滅菌まつ毛カール施術方法。
【請求項４】
前記装着ステップは、前記冷却ステップにより冷却された上側のまつ毛に殺菌作用を有するカール状の人口毛を装着すること、
を特徴とする請求項３に記載の滅菌まつ毛カール施術方法。
【請求項５】
前記装着ステップは、前記冷却ステップにより冷却された上側のまつ毛に直線状の部分とカール状の部分とを含む人口毛を装着すること、
を特徴とする請求項３に記載の滅菌まつ毛カール施術方法。
【請求項６】
前記装着ステップは、接着剤を用いて、前記上側のまつ毛に前記人口毛を装着すること、
を特徴とする請求項３または４に記載の滅菌まつ毛カール施術方法。
【請求項７】
前記加熱ステップは、アイマスク型の保温具を用いて加熱すること、
を特徴とする請求項１〜５のいずれか１つに記載の滅菌まつ毛カール施術方法。
【発明の詳細な説明】
【技術分野】
【０００１】
この発明は、まつ毛を上向きにカール状で保持可能な滅菌まつ毛カール施術方法に関する。
【背景技術】
【０００２】
従来、まつ毛用のパーマ液やまつ毛カーラーを用いたまつ毛にカール形状を施術する方法が提案されている（例えば、特許文献１参照）。
【０００３】
しかしながら、まつ毛用のパーマ液を用いたカール施術方法では、パーマ液が目に入ってしまったり、肌に付着することによる目の痛みや肌荒れが生じたりしてしまうといった問題がある。また、まつ毛カーラーによるカール施術方法では、まつ毛を挟んだカーラーに強い力を入れることによりまつ毛が切れてしまうこととなり、逆に弱い力ではまつ毛に十分なカールがかからないという問題がある。
【先行技術文献】
【特許文献】
【０００４】
【特許文献１】特開２０１２−２２８４１１号公報
【非特許文献】
【０００５】
【非特許文献１】「蒸気でホットアイマスク」http://www.kao.co.jp/megrhythm/eye/
【発明の概要】
【発明が解決しようとする課題】
【０００６】
そこで、本発明は、まつ毛に安全にカール形状を施術できるとともに、その状態が長時間にわたって維持される耐久性に優れた滅菌まつ毛カール施術方法を提供することを目的とする。
【課題を解決するための手段】
【０００７】
上記課題を解決するため、本発明に係る滅菌まつ毛カール施術方法は、台座部材が載置された上側のまぶたの上に、上側のまつ毛を粘着テープで台座部材を挟んで上まぶたに押着して固定する固定ステップと、固定ステップにより固定された上側のまつ毛を２０度以上の温度で１分以上加熱する加熱ステップと、加熱ステップにより加熱された上側のまつ毛を加熱ステップにより加熱された温度よりも低い温度で冷却する冷却ステップと、を含む。
【発明の効果】
【０００８】
本発明によれば、まつ毛に安全にカール形状を施術できるとともに、その状態を長時間にわたって維持可能な耐久性を向上することができる。
【図面の簡単な説明】
【０００９】
【図１】本実施形態における滅菌まつ毛カール施術方法の処理の流れを示すフローチャートである。
【図２】本実施形態における滅菌まつ毛カール施術方法の各手順を施術した際のまつ毛の状態を示す図である。
【図３】本実施の形態における滅菌まつ毛カール施術方法に使用される台座部材の形状の一例を示す図である。
【図４】本実施形態における人口毛の一例を示す図である。
【図５】本実施形態における人口毛をまつ毛に装着した状態の一例を示す図である。
【図６】本実施形態における滅菌まつ毛カール施術方法を実施した場合（上）及び実施しなかった場合（下）のそれぞれにおいて人口毛を装着した状態を示す写真である。
【発明を実施するための形態】
【００１０】
以下に、図面を用いて本発明に係る滅菌まつ毛カール施術方法の実施の形態を説明する。なお、この実施の形態により本発明が限定されるものではない。
【００１１】
図１は、本実施形態における滅菌まつ毛カール施術方法の処理の流れを示すフローチャートである。また、図２は、本実施形態における滅菌まつ毛カール施術方法の各手順を施術した際のまつ毛の状態を示す図である。
【００１２】
まず、図２（Ａ）に示すように、施術者は、被施術者に目を閉じさせる（ステップＳ１）。この際、上側のまつ毛（以下、まつ毛とする。）１は上まぶた（以下、まぶたとする。）２から下向きに垂れさがる。
【００１３】
次に、図２（Ｂ）に示すように、施術者は、まぶた２の上に台座部材３を載置する（ステップＳ２）。ここで、台座部材とは、被施術者が仰向けになった状態で、まつ毛１が上まぶたの面よりも高い位置にカール形状を作るための台座となる部材であって、材質は弾性部材や緩衝部材のようにまつ毛が柔軟にカール形状を帯びることが可能な軟質な素材が望ましい。図３は、本実施の形態における滅菌まつ毛カール施術方法に使用される台座部材の形状の一例を示す図である。図３（ａ）は、円筒状の台座部材３ａを示し、図３（ｂ）は、側面が台形を有する四角柱状の台座部材３ｂを示し、図３（ｃ）は、弾力性のある円筒状の台座部材３ａを被施術者のまつ毛１に固着した状態を示す図である。なお、これら台座部材３の形状は一例であり、このほか半円筒状などであってもよい。また、台座部材３の高さがより高いと、より大きい径のカール形状が、台座部材３の高さがより低いと、より小さい径のカール形状が施術されることとなる。
【００１４】
次に、図２（Ｃ）に示すように、施術者の指、あるいは器具を用いて、まつ毛１を台座部材３の上に上向きに延ばす（ステップＳ３）。例えば、ピンセットの先端にシリコンなどの保護カバーが装着されたような器具であってもよい。また、台座部材３の表面に粘着両面テープが貼付されていてもよい。これにより、まつ毛１の先端を台座部材３に巻き付けた状態を容易に保持できる。
【００１５】
ステップＳ３において、施術者は、まつ毛１を上向きに延ばした状態で、図２（Ｄ）に示すように、まつ毛１を台座部材３とまぶた２の上に粘着テープ４で押着する（ステップＳ４）。例えば、粘着テープ４の粘着面にまつ毛１の下側を付着させ、まぶた２の表面に接着する。粘着テープ４を用いることでまつ毛１をまぶた２に簡便に押着することができる。これにより、まつ毛１が上向き、かつ、台座部材３に沿ってカール形状を帯びた状態でまぶた２の表面に押着される。
【００１６】
なお、粘着テープ４は、まつ毛エクステンションに広く用いられるテープを用いることができる。まつ毛１をまぶた２の表面に安定して押着できるものであればよい。また、本実施の形態では、粘着テープ４を用いてまつ毛１をまぶた２の上に固着する例を示すが、これに限定されず、例えば、台座部材３の表面に粘着面を施すことにより、台座部材３を介してまつ毛１をまぶた２に押着する構成としてもよい。
【００１７】
次に、図２（Ｅ）に示すように、施術者は、保温具５を用いて、まつ毛１を加熱する（ステップＳ５）。保温具５は、例えば図中網掛けで示した箇所に加熱するものである。ここで、まつ毛１を加熱することによって、まつ毛１を軟化させて押着された状態に変形させることができる。
【００１８】
まつ毛１を軟化させることは、２０度以上に加熱することにより可能である。本実施例においては、十分に軟化させるため、保温具５による加熱は、３５度以上とし、５分以上継続する。これにより、まつ毛１が十分に軟化する。好ましくは、４０度前後で、１０分前後の加熱を行う。加熱終了後、まぶた２から保温具５を取り外す。なお、保温具５による保温を４０度前後とすることで、まつ毛１が十分に軟化するとともに、４０度前後の保温は被施術者にとって負担が小さいとともに、安全なものである。
【００１９】
なお、保温具５として、非特許文献１に示すアイマスク型の保温具を用いることや、温水を含有させたいわゆる蒸しタオルを目の上から当てることができる。被施術者は目を閉じているので、被施術者の負担が小さく、安全かつ快適に加熱することができる。
【００２０】
次に、施術者は被施術者のまつ毛１を冷却する（ステップＳ６）。冷却は、軟化して変形したまつ毛１を、変形を保ったままで軟化を元に戻し、変形された状態で定着させるためのものであり、各種の方法（保冷具を用いない自然冷却を含む）によることができる。本実施形態においては、図２（Ｆ）に示すように、保冷具６を用いて、まつ毛１を冷却する。保冷具６を用いることで、まつ毛１のカール形状を短時間で定着させることができる。
【００２１】
保冷具６による冷却は、１分程度継続することが好ましい。これにより、まつ毛１のカール形状を十分に定着させることができる。冷却終了後、まぶた２から保冷具６を取り外す。なお、保冷具６による冷却は１分程度であってもまつ毛１のカール形状が十分に定着するとともに、１分程度であれば被施術者にとって負担が小さいものである。
【００２２】
なお、保冷具６として、保温具５と同様に各種のものを用いることができる。被施術者は目を閉じているので、被施術者の負担が小さく、安全に冷却することができる。
【００２３】
次に、粘着テープ４をまぶた２から剥がす（ステップＳ７）。被施術者は、閉じていた目を開けることができる。目を開けた状態を図２（Ｇ）に示す。なお、人口毛をまつ毛１に装着しない場合は、ここでまつ毛カール施術は終了する。
【００２４】
一方、人口毛１ａをまつ毛１に装着することにより、さらにカール形状の耐久性を向上させる場合には、ステップＳ８に進み、図２（Ｈ）に示すように、まつ毛１に人口毛１ａを装着する。ここで、人口毛は滅菌作用を有する人口毛であり、例えば、滅菌成分を含有する薬剤が人口毛に塗布されたものであってもよいし、人口毛自体に滅菌加工が施された繊維などであってもよい。また、他の例として、滅菌成分に代えて、または滅菌成分とともに殺菌作用を有する人口毛であってもよい。まつ毛１のそれぞれに、例えば根本から１ｍｍ程度の位置に接着剤を付着し、その接着剤に人口毛１ａの基端を付着することで、まつ毛１に人口毛１ａが装着される。図４は、本実施形態における人口毛１ａの一例を示す図である。
【００２５】
図４（ａ）は、一般的なカール部のみからなる人口毛１ａを示し、図４（ｂ）と図４（ｃ）は、直線部とカール部とを含む部分からなる人口毛１ｂ、１ｃを示す。ここで、図４（ｂ）に示す人口毛１ｂは、図４（ｃ）に示す人口毛１ｃよりも直線部が短く、カール部が長い。また、図５は、本実施形態における人口毛１ａをまつ毛１に装着した状態の一例を示す図である。図５（ａ）は、図４（ａ）に示した人口毛１ａを、図５（ｂ）は、図４（ｂ）に示した人口毛１ｂを、図５（ｃ）は、図４（ｃ）に示した人口毛１ｃをそれぞれまつ毛１に装着した状態を示す。図５（ａ）〜図５（ｃ）の各図において、ストレート状のまつ毛１に人口毛１ａ〜人口毛１ｃを装着した場合の接地面積を比較すると、直線部が一番長い人口毛１ｃが最も接地面積が大きい。このように、人口毛１ａにカール部だけでなく直線部を加えることで、台座部材３の高さに応じてまつ毛１の根本からカール形状が始まるまでの直線部にしっかりと沿わせた状態で接着することができる。つまり、台座部材３の高さがより高い場合、例えば、径がより大きい円筒状であるような場合には、より大きなカール形状をまつ毛１に施術することができるが、同時にカール形状が始まる位置がまつ毛１の根本からより長くなる。この場合には、人口毛１ｃを装着することで、人口毛１ａがまつ毛１に接着する面積が大きくなり、接着力が強くなる。この結果、より安定して長時間において人口毛１ａがまつ毛１に接着した状態を保持することができる。一方、台座部材３の高さがより低い場合、例えば、径がより小さい円筒状であるような場合には、短いまつ毛に対してもカール形状を施すことができるが、根本からカール形状が始まるまでの位置が短いことになる。この場合は、人口毛１ｂを用いることで、比較的短いまつ毛に十分な接地面積の接着面を確保しつつカール部分をしっかりと保持することができる。
【００２６】
図６は、本実施形態における滅菌まつ毛カール施術方法を実施した場合（上）及び実施しなかった場合（下）のそれぞれにおいて人口毛を装着した状態を示す写真である。本施術方法を実施した場合、実施しなかった場合と比較して、まつ毛１が上向きにカール状態を保持し、美容効果が向上していることがわかる。
【００２７】
このように、本実施形態における滅菌まつ毛カール施術方法によれば、台座部材３を用いてまつ毛１に対して加熱と冷却を施すので、まつ毛に安全にカール形状を施術できるとともに、その状態を長時間にわたって維持可能な耐久性を向上することができる。また、冷却したまつ毛１に対して、カール形状が施された人口毛１ａを装着することで、より恒久的なカール形状を保持することができる。さらに、冷却したまつ毛１に対して、直線部とカール部とを含む人口毛１ｂ、１ｃを装着することで、より強力な接着力をもってより恒久的なカール形状を保持することができる。また、人口毛に滅菌作用や殺菌作用を持たせるため、長期間の人口毛の装着による雑菌の繁殖を防止することができる。
【符号の説明】
【００２８】
１      上まつ毛、まつ毛
１ａ、１ｂ、１ｃ    人口毛
２      まぶた
３、３ａ、３ｂ      台座部材
４      粘着テープ
５      保温具
６      保冷具
【図１】
2020006110.tif 000003
【図２】
2020006110.tif 000004
【図３】
2020006110.tif 000005
【図４】
2020006110.tif 000006
【図５】
2020006110.tif 000007
【図６】
2020006110.tif 000008